(57)【要約】      （修正有）【課題】手術環境に存在する多様なウイルス感染源から使用者をより完壁に保護する。【解決手段】手術用マスク100は使用者の頭部全面を覆い、ヘッドカバー111とヘッドカバーから延びて首と肩を覆うショルダーカバー115を含む覆面型覆い部110と覆面型覆い部の内側に配置され、使用者頭部左右側に湾曲延伸するＵ字状支持フレームと支持フレームの一端と他端とに繋がり、頭部前方及び後方に延びる伸縮バンドを含む固定部と支持フレームの一端と他端とに回動可能に結合されヘッドカバーの外部に配置され、顔面前面に沿って湾曲延伸する回動フレーム150と回動フレームに装着され、顔面上方を覆う透明カバーシールド170と含み、透明カバーシールドは回動フレームが第１位置にあるとき使用者の顔面に対応する位置に配置されヘッドカバーの開放口をカバーし、回動フレームの上方回動により回動フレームが第２位置にある時開放口の一部を露出させる。【選択図】図２Ａ
2018104876.tif 000002
【特許請求の範囲】
【請求項１】
使用者の頭部全面を覆い、顔面の目、鼻、口周辺の予め決定された領域が開放された開放口を有するヘッドカバーと、前記ヘッドカバーから延びて首と肩を覆うショルダーカバーを含む覆面型覆い部と、
前記覆面型覆い部の内側に配置され、使用者の頭部左右側に湾曲延伸するＵ字状支持フレームと、前記支持フレームの一端及び他端に繋がり、頭部の前方及び後方に延びる伸縮バンドを含む固定部と、
前記支持フレームの一端及び他端に回動可能に結合されて前記ヘッドカバーの外部に配置され、前記顔面の前面に沿って湾曲延伸する回動フレームと、
前記回動フレームに装着され、前記顔面の上方を覆う透明カバーシールドと、を含み、
前記透明カバーシールドは、前記回動フレームが第１位置にあるとき、使用者の顔面に対応する位置に配置されて前記ヘッドカバーの開放口をカバーし、前記回動フレームの上方回動により前記回動フレームが第２位置にあるとき、前記開放口の一部を露出させることを特徴とする、手術用マスク。
【請求項２】
前記ショルダーカバーは、切り欠きラインの一側が切り欠きラインの他側に付着されることを特徴とする請求項１に記載の手術用マスク。
【請求項３】
前記伸縮バンドは、前記ヘッドカバーの後方に形成されたホールを通じて外部に露出されることを特徴とする請求項１に記載の手術用マスク。
【請求項４】
前記回動フレームの一端及び他端は、前記支持フレームの一端及び他端と結合するキャップ部材をそれぞれ備え、前記支持フレーム及び前記回動フレームは空洞のパイプ状の部材からなり、前記回動フレームのキャップ部材と前記支持フレームの一端及び他端が結合するとき、前記回動フレームと前記支持フレームの空洞が互いに連通することを特徴とする請求項１に記載の手術用マスク。
【請求項５】
前記支持フレームの一側には、前記支持フレームの空洞内に空気を吹き込むためのクーリングファン部材が設けられ、前記支持フレーム及び前記回動フレームには、予め設定された間隔をもって複数の打孔部が形成され、前記クーリングファン部材の作動により空気が前記支持フレーム及び前記回動フレームの空洞に沿って流動して前記支持フレームの打孔部及び前記回動フレームの打孔部を通じて排出させることを特徴とする請求項４に記載の手術用マスク。
【請求項６】
光源を含み、前記光源の光照射方向を調節可能に構成されるライトユニットを更に含み、
前記ライトユニットは、前記回動フレームに設けられることを特徴とする請求項１に記載の手術用マスク。
【請求項７】
前記回動フレームは、前記支持フレームの一端及び他端から着脱可能であり、
前記回動フレームが前記支持フレームから脱去されるとき、前記回動フレーム及び前記回動フレームに装着された前記透明カバーシールドは、前記手術用マスクから共に脱去されることを特徴とする請求項１に記載の手術用マスク。
【請求項８】
光源を含み、前記光源の光照射方向を調節可能に構成されるライトユニット及び前記使用者の頭部に着用するヘッドバンドを含むヘッドライトを更に含み、
前記ヘッドライトは、前記回動フレーム及び前記透明カバーシールドを前記手術用マスクから脱去した後、前記頭部に着用して用いられることを特徴とする請求項７に記載の手術用マスク。
【発明の詳細な説明】
【技術分野】
【０００１】
本発明は手術用マスクに関し、より詳細には、使用者（医療関係者）の身体露出を最大限に制限して使用者と患者を手術環境内のウイルスから保護すると同時に、露出が制限された身体のうち一部領域に空気を排出させて使用者に清涼感を提供する手術用マスクに関する。
【背景技術】
【０００２】
一般に、医療手術又は施術時に、医療関係者の口腔から唾液が患者に飛ぶのを予防するために口腔用マスクを着用する。従来技術による口腔マスクは、図１に示すように、使用者の顎を支持する顎受け台２０と、透明フィルム材質からなるカバー１０が備えられ、カバー１０の両端を使用者の耳に固定させるための固定部３０とで構成される。これにより、口腔マスク着用者の対話又は呼気時に口から出る唾液が患者に飛ぶのを防止し、同時にマスク着用時に使用者の顎部分を安定して支持して、着用による圧迫や痛みを解消する。
【０００３】
このように、従来は前述した口腔マスクを用いてウイルスから患者を保護するのが１次的な目的であった。しかし、手術の活用分野が多くなり、手術技術の発展に伴い、実際の手術環境では多様なウイルス感染源が存在し、これにより、患者保護だけでなく、使用者を保護する必要性が大きくなった。例えば、患者から分離された身体の一部又は分泌物が、医療関係者の顔や首など露出している皮膚に接触する場合は、医療関係者がウイルスに感染する危険がある。
【０００４】
また、使用者は、手術室内では手術が終了するまでマスクを継続して着用しなければならないが、手術時間が長引く場合、手術用マスク内で風通しがよくないため汗が発生し、劣悪な手術環境に耐えなければならないという問題がある。
【０００５】
これにより、医療関係者をより完壁に保護することが可能であり、長時間の手術中にも汗の発生を抑制する機能を有する手術用マスクに対する要求が高まっているのが現状である。
【発明の概要】
【発明が解決しようとする課題】
【０００６】
本発明は、上記事情に鑑みてなされたものであって、その目的は、手術環境に存在する多様なウイルス感染源から使用者（医療関係者）をより完壁に保護することが可能な手術用マスクを提供することにある。
【０００７】
また、本発明の他の目的は、使用者のために手術用マスク内に風通しを強制的に提供することによって、手術途中の汗の発生を抑制することが可能な手術用マスクを提供することにある。
【課題を解決するための手段】
【０００８】
前記課題を解決するための本発明の実施形態に係る手術用マスクは、使用者の頭部全面を覆い、顔面の目、鼻、口周辺の予め決定された領域が開放された開放口を有するヘッドカバーと、前記ヘッドカバーから延びて首と肩を覆うショルダーカバーとを含む覆面型覆い部と；前記覆面型覆い部の内側に配置され、使用者の頭部左右側に湾曲延伸するＵ字状支持フレームと、前記支持フレームの一端及び他端に繋がり、頭部の前方及び後方に延びる伸縮バンドとを含む固定部と；前記支持フレームの一端及び他端に回動可能に結合されて前記ヘッドカバーの外部に配置され、前記顔面の前面に沿って湾曲延伸する回動フレームと；前記回動フレームに装着され、前記顔面の上方を覆う透明カバーシールドとを含み、前記透明カバーシールドは、前記回動フレームが第１位置にあるとき、使用者の顔面に対応する位置に配置されて前記ヘッドカバーの開放口をカバーし、前記回動フレームの上方回動により前記回動フレームが第２位置にあるとき、前記開放口の一部を露出させる。
【０００９】
また、前記ショルダーカバーは、切り欠きラインの一側が切り欠きラインの他側に付着されることができる。
【００１０】
更に、前記伸縮バンドは、前記ヘッドカバーの後方に形成されたホールを通じて外部に露出され得る。
【００１１】
また、前記回動フレームの一端及び他端は、前記支持フレームの一端及び他端と結合するキャップ部材をそれぞれ備え、前記支持フレーム及び前記回動フレームは空洞のパイプ状の部材からなり、前記回動フレームのキャップ部材と前記支持フレームの一端及び他端が結合するとき、前記回動フレームと前記支持フレームの空洞が互いに連通することができる。
【００１２】
更に、前記支持フレームの一側には、前記支持フレームの空洞内に空気を吹き込むためのクーリングファン部材が設けられ、前記支持フレーム及び前記回動フレームには、予め設定された間隔をもって複数の打孔部が形成され、前記クーリングファン部材の作動により空気が前記支持フレーム及び前記回動フレームの空洞に沿って流動して前記支持フレームの打孔部及び前記回動フレームの打孔部を通じて排出させることができる。
【００１３】
また、光源を含み、前記光源の光照射方向を調節可能に構成されるライトユニットを更に含み、前記ライトユニットは前記回動フレームに設けられ得る。
【００１４】
更に、前記回動フレームは、前記支持フレームの一端及び他端から着脱可能であり、前記回動フレームが前記支持フレームから脱去されるとき、前記回動フレーム及び前記回動フレームに装着された前記透明カバーシールドは、前記手術用マスクから共に脱去され得る。
【００１５】
また、光源を含み、前記光源の光照射方向を調節可能に構成されるライトユニット及び前記使用者の頭部に着用するヘッドバンドを含むヘッドライトを更に含み、前記ヘッドライトは、前記回動フレーム及び前記透明カバーシールドを前記手術用マスクから脱去した後、前記頭部に着用して用いることができる。
【発明の効果】
【００１６】
本発明の実施形態に係る手術用マスクによれば、使用者（医療関係者）の身体露出を最大限に制限する形状を有する覆面型覆い部を提供することによって、手術環境に存在する多様なウイルス感染源から使用者をより完壁に保護できるという効果を奏する。
【００１７】
また、クーリングファン部材を備え、モータにより発生した空気を、覆面型覆い部内で使用者の頭部を横断する支持フレームと使用者の顔面を横断する回動フレームとを介して使用者の身体に空気を排出させることによって、手術途中の汗の発生を抑制するという効果を提供する。
【００１８】
本発明の効果は、以上で言及したものに制限されず、言及されていない他の効果は、以下の記載から本発明が属する技術分野において通常の知識を有する者に明確に理解され得る。
【図面の簡単な説明】
【００１９】
【図１】従来技術による口腔マスクの斜視図である。
【図２Ａ】本発明の一実施形態に係る手術用マスクの斜視図である。
【図２Ｂ】図２Ａの正面図である。
【図２Ｃ】図２Ａの側面図である。
【図２Ｄ】図２Ａの後面図である。
【図３】回動フレームが上方回動により第２位置にある時の状態を示す側面図である。
【図４】本発明の他の一実施形態に係る覆面型覆い部を説明する概念図である。
【図５Ａ】本発明の手術用マスクを構成するＵ字状支持フレームを示す正面図である。
【図５Ｂ】図５Ａの正面図である。
【図６Ａ】本発明の手術用マスクを構成する回動フレームを示す斜視図である。
【図６Ｂ】図６Ａの平面図である。
【図７】Ｕ字状支持フレームにクーリングファン部材が設置された状態を示す斜視図である。
【図８】クーリングファン部材により発生した空気が支持フレームと回動フレームの空洞に沿って各フレームに形成された透孔部に排出される状態を説明する概念図である。
【図９】本発明の更に他の実施形態に係る手術用マスクに備えられたヘッドライトの斜視図である。
【発明を実施するための形態】
【００２０】
本発明の目的及び効果、そしてそれらを達成するための技術的構成は、添付の図面と共に詳細に後述される実施形態を参照すれば明確になる。本発明を説明するにおいて公知の機能又は構成に関する具体的な説明が本発明の要旨を不要に曖昧にする恐れがあると判断される場合には、その詳細な説明を省略する。そして、後述される用語は本発明における構造、役割及び機能などを考慮して定義された用語であって、これはユーザ、運用者の意図又は慣例などによって変わり得る。
【００２１】
しかし、本発明は以下で開示される実施形態に限定されるものではなく、異なる多様な形態で実現できる。但し、本実施形態は本発明の開示を完全なものにし、本発明が属する技術分野において通常の知識を有する者に発明の範疇を完全に理解させるために提供されるものであり、本発明は単に特許請求の範囲に記載された請求の範囲の範疇によって定義されるに過ぎない。従って、その定義は、本明細書全般に亘る内容に基づいて行われるべきである。
【００２２】
明細書全体において、ある部分がある構成要素を「含む」とするとき、これは特に反対となる記載がない限り、他の構成要素を除外するものではなく、他の構成要素を更に含むことができることを意味する。
【００２３】
以下、添付の図面を参照し、本発明の好適な実施形態を更に詳細に説明する。
【００２４】
図２Ａは、本発明の一実施形態に係る手術用マスクの斜視図であり、図２Ｂは、図２Ａの正面図であり、図２Ｃは、図２Ａの側面図であり、図２Ｄは、図２Ａの後面図である。これらの図に示すように、本発明の一実施形態に係る手術用マスク１００は、覆面型覆い部１１０、固定部１３０、回動フレーム１５０及び透明カバーシールド１７０を含んで構成される。
【００２５】
まず、覆面型覆い部１１０は、使用者の頭部全面を覆い、顔面の目、鼻、口周辺の予め決定された領域が開放された開放口１１２を有するヘッドカバー１１１と、ヘッドカバー１１１から延びて首と肩を覆うショルダーカバー１１５とを含む。このとき、ヘッドカバー１１１とショルダーカバー１１５は一体に形成されることができる。覆面型覆い部１１０は、図示するように、使用者の頭部、首及び肩に密着可能に伸縮性を有する材質で構成されることができ、外部の空気に含まれている有害物質が使用者の皮膚に接触するのを防止できる通常、広く用いられる材質であればいくらでも多様に適用されることができる。
【００２６】
ヘッドカバー１１１は頭が挿入される部分であって、ヘッドカバー１１１の前面には目、鼻、口を含む円形の開放口１１２が形成されるが、開放口１１２のサイズは多様な形態で提供可能である。また、外部の空気がヘッドカバー１１１内側に対流できるように、図２Ａ〜図２Ｄに示すように、ヘッドカバー１１１の後面には風通し用シート１１７が具備されることができる。また、図２Ｃ及び図２Ｄに示すように、ヘッドカバー１１１は長さ調節用ストラップ１１９を更に含むことができる。
【００２７】
一方、ショルダーカバー１１５は、使用者の首を覆い、肩に載置される部分であって、ショルダーカバー１１５は、ヘッドカバー１１１と一体に形成されることが好ましい。また、着用時の便宜上、ショルダーカバー１１５は、図４に示すように、その一部が切り欠かれて切り欠きラインを形成し、切り欠きラインの一側が切り欠きラインの他側に付着される形状をなすことができる。切り欠きラインの一側は例えば、スナップボタンやベルクロ（登録商標）のように通常用いられる固定手段により切り欠きラインの他側に付着されることができる。
【００２８】
一方、覆面型覆い部１１０は、その内部に覆面型覆い部１１０の外形を支持すると同時に着用時に使用者の頭に固着される固定部１３０を更に含む。即ち、固定部１３０により維持された人頭形状の型によって覆面型覆い部１１０の外形が維持されることができる。具体的に、固定部１３０は、覆面型覆い部１１０の内側に配置され、使用者の頭部左右側に湾曲延伸するＵ字状支持フレーム１３１と、支持フレーム１３１の一端及び他端に繋がり、頭部の前方及び後方に延びる伸縮バンド１３５とを含む。
【００２９】
図５Ａは、本発明の手術用マスク１００を構成するＵ字状支持フレーム１３１を示す斜視図であり、図５Ｂは、図5Ａの正面図である。図示するように、Ｕ字状支持フレーム１３１はその一端が例えば、使用者の右側こめかみ附近に、その他端が使用者の左側こめかみ附近に配置されるように使用者の頭部に装着される。支持フレーム１３１は、使用者によってその一端と他端との間の距離が弾力的に調節され得るように弾性を有する材質で製作されることが好ましい。支持フレーム１３１の一端と他端には、本発明の手術用マスク１００を頭部に固定させるための伸縮バンド１３５を含む。伸縮バンド１３５は、図２Ｄに示すように、ヘッドカバー１１１の後方に形成されたホールを通じてその一部がヘッドカバー１１１の外部に露出されるように構成されることができる。
【００３０】
一方、本発明の一実施形態に係る手術用マスク１００は、支持フレーム１３１の一端及び他端に回動可能に結合されてヘッドカバー１１１の外部に配置され、顔面の前面に沿って湾曲延伸する回動フレーム１５０を含む。図６Ａは、本発明の手術用マスク１００を構成する回動フレーム１５０を示す斜視図であり、図６Ｂは、図６Ａの平面図である。図示するように、回動フレーム１５０の一端及び他端には、支持フレーム１３１の一端及び他端と結合するキャップ部材１５１をそれぞれ備える。それぞれのキャップ部材は、支持フレーム１３１の一端から突出した突出部と支持フレーム１３１の他端から突出した突出部を収容する。
【００３１】
一方、回動フレーム１５０には、顔面の上方を覆う透明カバーシールド１７０が装着される。透明カバーシールド１７０は、図２Ａに示すように、ヘッドカバー１１１の開放口１１２を全てカバーするサイズで顔面の輪郭に対応する形態で提供されることができる。また、透明カバーシールド１７０の下端のうち、使用者の顎に対応する領域は顎の輪郭に沿って折り曲げられる形態に変形されて提供されることもできる。
【００３２】
このとき、回動フレーム１５０には、ライトユニット１２１が設置されることができる。ライトユニット１２１は光源を含み、光源の光照射方向を調節可能に構成される。図２Ａを参照すると、ライトユニット１２１は例えば、回動フレーム１５０の前方中央部分に装着されることができる。ライトユニット１２１は、手術部位に光を照明する器具であって、３６０度方位にチルト可能に回動フレーム１５０に繋がる。これにより、使用者は、手術中にライトユニット１２１を手動で操作して光照射方向を調節できる。
【００３３】
本発明の一実施形態によれば、回動フレーム１５０は、支持フレーム１３１に結合される両端を中心に上下方へ回動可能に構成される。このとき、回動フレーム１５０は、第１位置と第２位置との間を回動駆動するが、第１位置は使用者が本発明の手術用マスク１００を着用し、手術を行う状況で顔面の露出を遮断させることができる回動フレーム１５０の位置であって、例えば図２Ｃに示した位置である。回動フレーム１５０が第１位置にあるとき、透明カバーシールド１７０は使用者の顔面に対応する位置に配置され、ヘッドカバー１１１の開放口１１２をカバーする。一方、第２位置は、使用者が本発明の手術用マスク１００を着用した状態で必要に応じて顔面のうち、口や鼻が露出される回動フレーム１５０の位置であって、例えば図３に示した位置である。回動フレーム１５０が第２位置にあるとき、透明カバーシールド１７０はヘッドカバー１１１の開放口１１２を一部露出させる。このような回動フレーム１５０の回動操作は、回動フレーム１５０のキャップ部材１５１に形成された回動レバー（図示せず）を使用者が手動で操作することによって駆動されることができる。
【００３４】
一方、以下では本発明の一実施形態に係る支持フレーム１３１と回動フレーム１５０の構造的特徴を説明する。
【００３５】
まず、固定部１３０の支持フレーム１３１が有する構造的特徴の１つは、図５A図及び５Bに示すように、その内部が空いた空洞１８０のパイプ状の部材からなり、空洞１８０は支持フレーム１３１の一端と他端で外部と連通するという点である。また、支持フレーム１３１の他の構造的特徴は、支持フレーム１３１の内側面、即ち、使用者の頭皮と対応する面に予め設定された間隔で複数の打孔部１９０が形成されており、各打孔部１９０が支持フレーム１３１内部の空洞１８０と連通するという点である。
【００３６】
一方、回動フレーム１５０が有する構造的特徴の１つは、図６Ｂに示すように、その内部が空いた空洞１８０のパイプ状の部材からなり、空洞１８０は回動フレーム１５０の一端と他端で外部と連通するという点である。また、回動フレーム１５０の他の構造的特徴は、回動フレーム１５０の内側面、即ち、使用者の顔面と対応する面に予め設定された間隔で複数の打孔部１９０が形成されており、各打孔部１９０が回動フレーム１５０内部の空洞１８０と連通するという点である。
【００３７】
前述したように、回動フレーム１５０は、支持フレーム１３１の一端及び他端に回動可能に装着されるが、回動フレーム１５０のキャップ部材と支持フレーム１３１の一端及び他端が結合するとき、回動フレーム１５０と支持フレーム１３１の空洞１８０は互いに連通する。
【００３８】
一方、支持フレーム１３１の一側には、支持フレーム１３１の空洞１８０内に空気を吹き込むためのクーリングファン部材１３３が設置される。図７は、Ｕ字状支持フレーム１３１にクーリングファン部材１３３が設置された状態を示す斜視図である。クーリングファン部材１３３は、ケーシングの内部にファンが装着され、前記ファンが別途のバッテリのような電源供給装置から電力の印加を受けて回転駆動することによって空気の流動を発生させる部品である。クーリングファン部材１３３の配置位置は限定されないが、支持フレーム１３１の一端及び他端側に均等な空気の流動が発生し得るように支持フレーム１３１の中央部に設置されることが好ましい。クーリングファン部材１３３が支持フレーム１３１に装着時、クーリングファン部材１３３の空気排出路が支持フレーム１３１の空洞１８０と連通するように構成される。図８は、クーリングファン部材１３３によって発生した空気が支持フレーム１３１と回動フレーム１５０の空洞１８０に沿って各フレームに形成された打孔部１９０に排出される状態を説明する概念図である。図面を参照すると、クーリングファン部材１３３の作動により空気が支持フレーム１３１の空洞１８０に１次流入すると、空気が支持フレーム１３１の空洞１８０に沿って流動しながら支持フレーム１３１の一端と他端側に移動する。このとき、移動空気は、支持フレーム１３１に形成された打孔部１９０を通る度に打孔部１９０を通じて一部が支持フレーム１３１の外部に排出されながら使用者の頭部に涼しい空気を提供する。次いで、支持フレーム１３１の一端と他端に到達した流動空気は、支持フレーム１３１と連通している回動フレーム１５０内部の空洞１８０へ移動する。即ち、支持フレーム１３１の一端に到達した空気は、回動フレーム１５０の一端側キャップ部材１５１を通じて回動フレーム１５０の空洞１８０に進入し、支持フレーム１３１の他端に到達した空気は、回動フレーム１５０の他端側キャップ部材１５１を通じて回動フレーム１５０の空洞１８０に進入し、進入した空気は回動フレーム１５０内部の空洞１８０を流動する。このとき、移動空気は、回動フレーム１５０に形成された打孔部１９０を通る度に打孔部１９０を通じて一部が回動フレーム１５０の外部に排出されながら使用者の顔面に涼しい空気を提供する。
【００３９】
このような構成によれば、クーリングファン部材１３３により発生した空気を覆面型覆い部１１０内のフレームを通じて使用者の身体に排出させることによって手術途中に使用者の汗の発生を抑制する効果を提供する。
【００４０】
一方、本発明の他の実施形態に係る手術用マスクでは、回動フレーム１５０が支持フレーム１３１の一端及び他端から着脱されるように構成される。回動フレーム１５０は、その一端と他端との間の距離が弾力的に拡張及び復帰できるように弾性を有する材質で製作されることができる。これにより、外力で回動フレーム１５０を広げてその両端部を支持フレーム１３１の両端から離脱するようにして支持フレーム１３１から脱去できる。このとき、回動フレーム１５０が支持フレーム１３１から脱去されるとき、回動フレーム１５０及び回動フレーム１５０に装着された透明カバーシールド１７０が回動フレーム１５０と共に手術用マスクから共に脱去される。通常、透明カバーシールド１７０は、手術中に血液が飛ぶ状況を除いては不要なため、選択的に脱去可能に構成する。
【００４１】
一方、本発明の他の実施形態に係る手術用マスクでは、使用者の頭部に着用する別途のヘッドライト１２０を更に含むことができる。図９は、本発明の更に別の実施形態に係る手術用マスクに備えられたヘッドライトの斜視図である。図面を参照すると、具体的に、ヘッドライト１２０は光源を含み、光源の光照射方向を調節可能に構成されるライトユニット１２１、及び使用者の頭部に着用する可撓性のヘッドバンド１２３を含んで構成される。使用者は、回動フレーム１５０及び透明カバーシールド１７０を手術用マスクから脱去した状態でヘッドライト１２０を頭部に着用して使用することができる。
【００４２】
以上、本発明の実施形態について説明したが、該当技術分野において通常の知識を有する者であれば、特許請求の範囲に記載された本発明の思想から逸脱しない範囲内で構成要素の付加、変更、削除又は追加などによって本発明を多様に修正及び変更させることができ、これもまた本発明の権利範囲内に含まれるものとして理解されるべきである。
【符号の説明】
【００４３】
１００    手術用マスク
１１０    覆面型覆い部
１１１    ヘッドカバー
１１５    ショルダーカバー
１２０    ヘッドライト
１２１    ライトユニット
１２３    ヘッドバンド
１３０    固定部
１３１    支持フレーム
１３３    クーリングファン部材
１５０    回動フレーム
１７０    透明カバーシールド
１８０    空洞
１９０    打孔部
【図１】
2018104876.tif 000003
【図２Ａ】
2018104876.tif 000004
【図２Ｂ】
2018104876.tif 000005
【図２Ｃ】
2018104876.tif 000006
【図２Ｄ】
2018104876.tif 000007
【図３】
2018104876.tif 000008
【図４】
2018104876.tif 000009
【図５Ａ】
2018104876.tif 000010
【図５Ｂ】
2018104876.tif 000011
【図６Ａ】
2018104876.tif 000012
【図６Ｂ】
2018104876.tif 000013
【図７】
2018104876.tif 000014
【図８】
2018104876.tif 000015
【図９】
2018104876.tif 000016